(57)【要約】   電磁走査信号（ＳＳ）を送出する読み取り装置（１）によってコンタクトレスデータキャリア（２、２’）の読み出しを妨害するための妨害器（２０）が、電磁信号を受信するためのエアインタフェース部（１１）と、前記エアインタフェース部によって受信される前記電磁信号を分析するための分析手段（１５）と、妨害信号（ＤＳ）を発生させるための妨害信号発生手段（１８）とを有する。受信される前記電磁信号を分析するための分析手段（１５）は、受信される電磁信号の間で読み取り装置（１）から走査信号（ＳＳ）を識別するように構成され、走査信号（ＳＳ）が検出されるとき、妨害信号発生手段（１８）に制御信号（ＣＳ）を送信するように構成され、妨害信号発生手段（１８）は、妨害信号（ＤＳ）を発生させると共に、制御信号（ＣＳ）の受信時に、当該妨害信号をエアインタフェース部（１１）を介して送信するように構成される。
2007512611.tif 000002
【特許請求の範囲】
【請求項１】
電磁走査信号を送出する読み取り装置によってコンタクトレスデータキャリアの読み出しを妨害するための妨害器であって、電磁信号を受信するためのエアインタフェース部を有し、前記エアインタフェース部によって受信される前記電磁信号を分析するための分析手段を有し、妨害信号を発生させるための妨害信号発生手段を有し、受信される前記電磁信号を分析するための前記分析手段は、受信される前記電磁信号の間で前記読み取り装置からの前記走査信号を識別するように構成され、前記走査信号が検出されるとき、前記妨害信号発生手段に制御信号を送信するように構成され、前記妨害信号発生手段は、前記妨害信号を発生させると共に、前記制御信号の受信時に、当該妨害信号を前記エアインタフェース部を介して送信するように構成される妨害器。    
【請求項２】
前記エアインタフェース部が、前記受信される信号から前記妨害器にもたらすために電気エネルギを抽出するように構成される請求項１に記載の妨害器。
【請求項３】
前記妨害器又は当該妨害器のサブアセンブリの個々に電気エネルギをもたらすためにバッテリがもたらされ、前記バッテリは好ましくは前記妨害器が前記読み取り装置の動作のゾーンに入るとすぐにスイッチオンされ得ると共に、好ましくは前記妨害器が前記読み取り装置の動作のゾーンから出るとすぐにスイッチオフされ得る請求項１に記載の妨害器。  
【請求項４】
前記受信される電磁信号を分析するための前記分析手段は、前記走査信号から、前記走査信号を送出する前記読み取り装置の型を検出すると共に、前記検出される読み取り装置の型がプリセット型であるとき、又は許可された型でないときにのみ前記制御信号を送出するように構成される請求項１に記載の妨害器。  
【請求項５】
前記受信される前記電磁信号を分析するための前記分析手段は、前記読み取り装置によって送出されるコンタクトレスデータキャリアに対する命令を前記走査信号から抽出すると共に、前記データキャリアのデータを読み出すように前記データキャリアに要求するデータキャリアに対する命令が検出される場合、前記制御信号を送出するように構成される請求項１に記載の妨害器。  
【請求項６】
前記妨害信号発生手段は、高度に変調された信号を妨害信号として発生させるように構成される請求項１に記載の妨害器。    
【請求項７】
前記妨害信号発生手段は、電磁パルスを妨害信号として発生させるように構成される請求項１に記載の妨害器。  
【請求項８】
前記妨害信号発生手段は、音響又は光信号のようなユーザ警告信号を送出するように構成される請求項１に記載の妨害器。    
【請求項９】
物理的接触なしに読み出され得るデータキャリアを備える商品を収容する容器であって、請求項１乃至８の何れか一項に記載の妨害器を有する容器。  
【請求項１０】
財布若しくは札入れ、又は書類ケース若しくはブリーフケースの形態になる請求項９に記載の容器。  
【請求項１１】
電磁走査信号を送出する読み取り装置によって物理的なコンタクトなしに読み出され得るデータキャリアであって、電磁信号を受信するためのエアインタフェース部を有し、前記エアインタフェース部によって受信される前記電磁信号を分析すると共に、識別番号のような情報の要素を前記エアインタフェース部に送信するための論理回路を有し、前記エアインタフェース部は、電磁識別信号として前記論理回路から受信される前記情報の要素を送信するように構成され、妨害信号を発生させるための妨害信号発生手段を有し、前記論理回路は、受信される前記電磁信号の間で当該論理回路が前記読み取り装置からの走査信号を識別すると共に、前記走査信号が検出される場合、活性化信号を前記妨害信号発生手段に送信する動作の妨害モードを有し、前記妨害信号発生手段は、前記妨害信号を発生させると共に、前記活性化信号の受信時に、前記エアインタフェース部を介して当該妨害信号を送信するように構成されるデータキャリア。
【請求項１２】
前記論理回路は、前記走査信号から、前記走査信号を送出する前記読み取り装置の型を検出すると共に、前記検出される読み取り装置の型がプリセット型であるとき、又は許可された型でないときにのみ前記活性化信号を送出するように構成される請求項１１に記載のデータキャリア。
【請求項１３】
前記論理回路は、前記読み取り装置によって送出される前記コンタクトレスデータキャリアに対する命令を前記走査信号から抽出し、前記動作の妨害モードを活性化する命令が検出される場合に前記動作の妨害モードになり、前記妨害モードを不活性化する命令が検出される場合に前記動作の妨害モードを終了するように構成される請求項１１に記載のデータキャリア。
【請求項１４】
前記妨害信号発生手段は、前記妨害信号として高度に変調された信号を発生させるように構成される請求項１１に記載のデータキャリア。
【請求項１５】
前記妨害信号発生手段は、前記妨害信号として電磁パルスを発生させるように構成される請求項１１に記載のデータキャリア。      
【発明の詳細な説明】
【技術分野】
【０００１】
本発明は、電磁走査（スキャニング）信号（electromagnetic scanning signal）を送出する（放射する）読み取り装置（リーダ（reader））によってコンタクトレス（遠隔操作可能な）データキャリア（担体）（contactless data carrier）の読み出しを妨害するための妨害（電波発生）器（ジャマー（jammer））に関する。
【０００２】
本発明は、本発明による妨害器を有する容器（コンテナ）にも関する。
【０００３】
本発明は更に、物理的なコンタクト（接触）なしに読み出され得るデータキャリアにも関する。      
【背景技術】
【０００４】
コンタクトレス（ＲＦＩＤ）データキャリアの分野における最近の発展は、とりわけ周囲（環境）の要因（ファクタ）に耐えるために、自身の増大するロバスト性及び自身の小型化に関する。これらの発展により、中継器（トランスポンダ（transponder））又はタグとも称されるこの種のコンタクトレスデータキャリアは、ほとんどいかなる所望の基板物質にも含まれることが可能になる。このように、例えば衣服の商品を製造する作業並びにそれらを含むその後の卸売り及び小売りが記録されると共に連続的かつ自動的にモニタ（監視）されることを可能にするため、製造プロセスの早い段階でコンタクトレスデータキャリアが衣服の裏の商品に含まれることは知られている。固有の紙幣番号（unique note number）と、必要ならば、流通におかれている時間及び位置のような他のデータとを含む銀行券タグ（banknotes tag）に含まれることに対しても、このように支払処理がより十分にモニタされることを可能にすると共に誤用（misuse）の事実がより簡単に見つけされることを可能にするため、中央銀行において検討がなされている。このように、各々の紙幣におけるタグにより、例えば偽造紙幣（forged note）の製造がより困難になる。恐喝又は違法金銭の移動のような犯罪行為に由来するお金をトレースバック（追跡）することが同様により容易になる。しかしながら、製造業者又は銀行に対するセキュリティ（安全性）の観点からの便益（利益）は、逆にしばしば個人のセキュリティ及びプライバシを危うくする。このように、当然のことながら衣服の商品に含まれるタグは、このような衣服の商品の着用者をモニタするためにも使用され得る。自身に含まれるタグを有する紙幣の場合、窃盗犯は、例えば読み取り装置を所持すると共に、例えばショッピングセンタ又は歩道における群衆内で動き回ることによって、潜在的な被害者を選び出す危険が同様に存在する。当該ショッピングセンタ又は歩道において窃盗犯は、他の人々によって所持されている紙幣、それ故に紙幣に組み込まれているタグが、読み取り装置の動作のゾーン（区域）に来るために十分近くにいることに気付いていない他の人々に近付くことが可能である。このように、窃盗犯は少なくとも潜在的な被害者が所持している紙幣の数を確かめ得る。紙幣に対して使用されるナンバリング（番号）システム（numbering system）に依存して、ある環境下で窃盗犯が紙幣の値を決定し、それ故に、適当に大きな金額のお金を所持している被害者を慎重に探すことさえも可能になり得る。
【０００５】
それ故に、上記モニタリング技術の実現の結果としてもたらされる個人に対する危険性を低減し得るか、又は完全にさえ除外し得るデバイスが開発される必要性は存在する。
【発明の開示】
【発明が解決しようとする課題】
【０００６】
それ故に本発明の目的は、上記の第一の段落で特定される種類の妨害器、上記の第二の段落で特定される種類の容器、及び上記の第三の段落で特定される種類のデータキャリアを提供することにあり、上記で特定される不利点は回避される。
【課題を解決するための手段】
【０００７】
上記目的を達成するために、本発明による特徴が本発明による妨害器にもたらされ、それ故に妨害器は以下に特定される態様で特徴付けられることが可能になる。すなわち、
電磁走査信号を送出する（発する）読み取り装置によってコンタクトレスデータキャリアの読み出しを妨害するための妨害器であって、電磁信号を受信するためのエアインタフェース部を有し、前記エアインタフェース部によって受信される前記電磁信号を分析するための分析手段を有し、妨害信号を発生させるための妨害信号発生手段を有し、受信される前記電磁信号を分析するための前記分析手段は、受信される前記電磁信号の間で前記読み取り装置から前記走査信号を識別するように構成されると共に、前記走査信号が検出されるとき、前記妨害信号発生手段に制御信号を送信するように構成され、前記妨害信号発生手段は、前記妨害信号を発生させると共に、前記制御信号の受信時に当該妨害信号を前記エアインタフェース部を介して送信するように構成される妨害器である。
【０００８】
上記目的を達成するために、本発明による妨害器は上記の種類の容器にもたらされる。
【０００９】
上記目的を達成するために、本発明による特徴は本発明によるデータキャリアにもたらされ、それ故に本発明によるデータキャリアは以下に特定される態様で特徴付けられることが可能になる。すなわち、
電磁走査信号を送出する読み取り装置によって物理的なコンタクトなしに読み出され得るデータキャリアであって、電磁信号を受信するためのエアインタフェース部を有し、前記エアインタフェース部によって受信される前記電磁信号を分析すると共に、識別番号のような情報の要素を前記エアインタフェース部に送信するための論理回路を有し、前記エアインタフェース部は、電磁識別信号として前記論理回路から受信される前記情報の要素を送信するように構成され、妨害信号を発生させるための妨害信号発生手段を有し、前記論理回路は、受信される前記電磁信号の間で当該論理回路が前記読み取り装置からの走査信号を識別すると共に、前記走査信号が検出される場合、活性化信号を前記妨害信号発生手段に送信する動作の妨害モードを有し、前記妨害信号発生手段は、前記妨害信号を発生させると共に、前記活性化信号の受信時に、前記エアインタフェース部を介して当該妨害信号を送信するように構成されるデータキャリアである。
【００１０】
本発明による特徴によって実現されることは、データキャリアから送出されるデータ信号が、自身に重畳される本発明による妨害器からの妨害信号を有するため、読み取り装置は、自身の動作のゾーン内に位置されるデータキャリアから要求されるデータを正常に読み取り得ないことにある。データキャリアの特性に依存して、当該データキャリアが本発明による妨害器からの妨害信号によって影響されることもあり、このことは、当該データキャリアが、誤り（エラー）なしで読み取り装置によって送信される命令（コマンド）を受信し得ず、それ故にいかなるデータであろうとも送信しないことを意味する。読み取り装置によるデータの送信の正常な回避（防止）のために、及び適用可能な場合、データキャリアによるデータの受信の正常な回避のために、読み取り装置によるデータのコンタクトレス要求によって個人自身がモニタされ得ないという点、又は物理的なコンタクトなしで読み取られ得るデータキャリアを含む個人に関して個人が所持する商品がもはや読み取り装置によって読み取られ得ないという点で、個人に関するこの種の本発明による妨害器を所持する個人のパーソナルセキュリティは増大させられる。
【００１１】
請求項２において規定される手段は、妨害器が自身に、読み取り装置によって送出される高周波信号からのエネルギを供給し、それ故に読み取り装置の動作のゾーン内にもたらされている間、無制限の動作耐久性を有するという利点をもたらす。読み取り装置の動作のゾーンの外側において、妨害器は自動的に自身を再度スイッチオフする。
【００１２】
請求項３において規定される手段は、前記妨害信号が、読み取り装置からの高周波信号から電気エネルギの供給を得る妨害器の場合における妨害信号よりもかなり強くなってもよいという利点をもたらす。特に有利であることを実証し得ることは、受信される高周波信号によって、エアインタフェース部と、受信される高周波信号を分析するための手段とに電気エネルギがもたらされる本発明による妨害器の結合形態にもあるが、消費エネルギが高くなる妨害器の他のサブアセンブリ（半組み立て品（subassembly））は、受信される高周波信号を分析するための手段の制御下で電子スイッチを介して自身の部分に対してスイッチオンオフされるバッテリからもたらされる。  
【００１３】
請求項４及び１２において規定される手段は、妨害器が読み取り装置の動作のゾーン内にもたらされているとき全ての場合において妨害信号は送信されることはないが、読み取り装置が、選択された型（種類）になるときにのみ送信されるという利点をもたらす。これにより、例えば、妨害信号を送出することによって百貨店における盗難防止モニタリングシステム（anti-theft monitoring system）を妨害するか、又はディスエーブル（使用不可）にする本発明による妨害器の結果としてもたらされる問題が回避される。
【００１４】
請求項５において規定される手段は、妨害信号が送出される場合と妨害信号が送出されない場合との間で特に正確な分割がなされ得るという利点をもたらす。
【００１５】
請求項６、７、１４、及び１５において規定される手段は、各々の場合、自身の高変調及び自身の高調波成分（コンテンツ）を伴うハイレベルに起因して、生成される妨害信号は、データキャリアによって、且つ比較的広い帯域（バンド）に渡って送出される信号全体に重畳されるという利点をもたらす。必要ならば、読み取り装置によって送出される走査信号は、当該走査信号がデータキャリアによってもはや認識されず、又は少なくとも誤りを受けやすいために阻止され、データはデータキャリアによって送信されない程度に妨害信号によってこのようにブランケット（妨害（blanket））されることも可能である。
【００１６】
請求項８において規定される手段は、本発明による妨害器のユーザが、読み取り装置によって走査する試みはまさになされていることを通知されるという利点をもたらす。
【００１７】
請求項１３において規定される手段は、データキャリアの動作の妨害モードが、外側から選択的に活性化及び不活性化され得るという利点、例えばこのことはデータキャリアが組み込まれる商品のユーザの要求でなされ得るという利点をもたらす。
【００１８】
本発明のこれら及び他の態様は、以下に記載された実施例から明らかであり、これらの実施例を参照して説明されるが、実施例に限定されるものではない。  
【発明を実施するための最良の形態】
【００１９】
図１は、いわゆるRFIDシステム（無線周波数識別システム（radio frequency identification system））、すなわち読み取り装置とデータキャリアとの間のコンタクトレス通信のためのシステムのブロック回路図である。RFIDシステムは読み取り装置１及びデータキャリア２を有しており、データキャリア２が読み取り装置１の動作のゾーン内にもたらされている場合、後者は読み取り装置１とワイヤレスコンタクトをなす。読み取り装置１は、例えば処理手段が基本命令を実行することを可能にするためにオペレーティングシステムOSが記憶されると共に、処理手段において実行されるべきプログラムコード、すなわちソフトウエアSWが記憶されるプログラム記憶手段４とデータバスを介して通信するマイクロプロセッサ又はマイクロコントローラのような処理手段３を有している。プログラム記憶手段４は、PROM, EPROM, 及びEEPROM等のような半導体メモリであってもよい。処理手段及びプログラム記憶手段がASIC若しくはPAL等の集積回路又はデバイスの形態をとってもよいことは言及されるべきである。実行されるべきプログラムコードSWは、データキャリア２からデータを読み込むための基本的な機能及び読み込まれるデータを処理するための基本的な機能に限定されるプログラムを形成するためにオペレーティングシステムに結合されてもよい。本実施例において、処理手段３は、例えばRAMのような揮発性データメモリ５への通信目的のための接合部も有している。プログラムコードSWが実行されるとき、処理手段３は、読み取り装置１の設計に依存して異なる形態をとってもよい入力／出力手段８と共に動作する。単なる説明として、入力／出力手段８は、データキャリア２から読み取り装置のユーザに読み込まれるデータを示すためにディスプレイの形態になることが仮定されるであろう。
【００２０】
処理手段３が一つ又はそれより多くのデータキャリア２とコンタクトレスに通信することを可能にするため、読み取り装置１は、電磁走査信号を送信するために通信手段６とそれに接続されるアンテナ７とを有する。例えばデータキャリア２が、標準ISO/IEC 14443に対して受動データキャリア（passive data carrier）になる場合、これらの走査信号SSを使用して電気エネルギもデータキャリア２に供給され得る。この場合、通信手段６は、アンテナ７を介してパルス幅変調情報を伝える13.56MHz の周波数のHFキャリア信号を送信する。当該実施例の場合において範囲は通常１ｍまでになる。より大きな範囲を得るために周波数は、例えば125kHzにまで低減され得る。特に簡単なRFIDシステムの場合、読み取り装置１によって送出される走査信号は、例えば正弦波（sinusoidal waveform）を有する所与の周波数又は周波数帯域幅の単なる電磁信号になる。それからデータキャリアは今度は、当該データキャリアが走査信号から十分な電気エネルギを受信するとき、当該データキャリアが識別番号のような永久記憶データ（permanently stored data）を読み取り装置に継続的に送信する活性状態に変化するように構成される。ワイヤレス手段によって送信される電磁信号のために以下の記載において使用される用語“高周波信号”が、限定を意図するものではないが、概して約１０ｋHｚよりも高い周波数の信号を意味することは言及されるべきである。特に、用語“高周波信号”は、30kHzと300kHzとの間のＬＦ信号周波数帯域、3MHzと30MHzとの間のＲＦ帯域、300MHzと3GHzとの間のＵＨＦ帯域、及び約3GHzのマイクロ波もカバーする。
【００２１】
図１の右部分において示されているデータキャリア２の高性能実施例において、データキャリア２は、高周波信号を受信／送信するための結合素子１０を有している。
【００２２】
結合素子１０は、一つ又はそれより多くの巻き部を有するコイルの形態で実現される。受信される走査信号ＳＳに含まれる情報を復調すると共に送信されるべき情報を変調するエアインタフェース部１１が結合素子１０に結合される。エアインタフェース部１１は、データキャリア２の電気コンポーネント（部品）に電圧を供給するための電圧供給回路１３に受信される走査信号ＳＳから電気エネルギも引き出す（タップオフ（tap off）する）。エアインタフェース部１１は、ステートマシン（状態機械（state machine））の形態をとってもよい論理回路１２にも接続される。論理回路１２は、例えば固定形態（形式）で記憶される識別番号ＩＤを含む不揮発性メモリ１４に接続される。エアインタフェース部１１によって復調される走査信号の間で、論理回路１２が、読み出されるべき不揮発性メモリ１４に記憶されている識別番号ＩＤに対する読み取り装置からの要求を検出するとき、当該論理回路１２は前記識別番号ＩＤをエアインタフェース部１１に渡し、後者（エアインタフェース部１１）は、高周波識別信号ＩＳとして、変調された形態で当該データを読み取り装置に送信する。
【００２３】
データキャリア２は、チップカードのような広く様々な異なる形態をとってもよいが、衣服の商品又は銀行券のような非常に小さな形態で組み込まれてもよい。
【００２４】
データキャリア２上に記憶されている識別番号ＩＤの不正な読み出しを防止するため、通常参照数字２０によって参照される妨害器がもたらされる。データキャリア２と同様の態様で、当該妨害器は、高周波信号を受信／送信するための結合素子１０と、結合素子１０に接続されるエアインタフェース部１１とを有している。読み取り装置１によって送出される走査信号はそれ故に、妨害器２０の結合素子１０によっても受信され、受信される走査信号ＳＳはエアインタフェース部１１において変調される。データキャリア２の参照によって上記既に説明されているのと同じ態様で、エアインタフェース部１１は、少なくとも妨害器２０のある電気コンポーネントに電圧を供給するための電圧供給回路１３に受信される走査信号ＳＳから電気エネルギも引き出す。
【００２５】
妨害器２０は、エアインタフェース部１１によって受信されると共に復調される高周波信号を分析するための分析手段１５も有する。分析手段１５は、受信される高周波信号の間で読み取り装置１から走査信号ＳＳを識別するように構成され、妨害信号ＤＳが、データキャリア２から読み取り装置１に送信される識別信号ＩＳ上に重畳され、それ故にこれらの識別信号ＩＳのエラーフリー（誤りのない）受信が読み取り装置１において回避される結果として読み取り装置１を妨害するために、妨害器において構成される妨害信号を発生させるための妨害信号発生手段１８に入力される制御信号ＣＳを発生させるため走査信号ＳＳが検出される場合、妨害信号発生手段１８は、制御信号ＣＳの受信時に、妨害信号ＤＳを発生させると共に、当該妨害信号を前記エアインタフェース部１１を介して送出するように構成される。データキャリア２が妨害信号ＤＳによって妨害されることも可能なので、当該データキャリア２は識別信号ＩＳさえも送出することはない。妨害信号ＤＳは好ましくは、高度に変調された信号（highly modulated signal）又は電磁パルスになる。電磁パルスは、超高調波成分を有するため注目され得る。
【００２６】
基本的に、全妨害器２０に、受信される走査信号ＳＳからエアインタフェース部１１によって引き出されると共に電圧供給回路１３において処理される電気エネルギによる電圧がもたらされ得る。妨害信号ＤＳに対して実現可能になる信号強度（強さ）は、この場合、データキャリア２によって送出される識別信号ＩＤの強度に対応するが、読み取り装置によって送出される走査信号ＳＳの信号強度よりも小さくなる大きさのオーダになる。それ故に、好ましくない条件（例えばデータキャリア２が妨害器２０よりも読み取り装置のかなり近くに位置される場合）下で、妨害信号ＤＳは、識別信号ＩＤが読み取り装置において受信されることを防止するのに十分な強度で識別信号ＩＤ上に重畳されるという保証がないため、妨害信号発生手段１８に供給するためのバッテリ１７は、かなりより高い信号強度が妨害信号ＤＳに対して得られることを可能にするために妨害器２０の本実施例においてももたらされる。他方で、バッテリ１７が長寿命を有することを確実にするため、分析手段１５によって駆動される電子スイッチ１６がもたらされる。読み取り装置１の動作のゾーン内にエアインタフェース部が入り、それ故に、必要なエネルギが引き出され得る走査信号ＳＳを受信するとすぐに、エアインタフェース部によって受信される高周波信号を分析するための分析手段１５に実際、電気エネルギがエアインタフェース部又はむしろ電圧供給回路１３から直接もたらされる。分析手段１５が活性化されるとすぐに、当該分析手段１５はバッテリスイッチオン信号ＢＳを電子スイッチ１６に送信し、当該電子スイッチ１６はそれから閉じられると共に妨害器が読み取り装置１の動作のゾーン内にもたらされている間、閉じられたままになる。スイッチ１６を閉じることにより、妨害信号発生手段１８にバッテリ１７からエネルギがもたらされる。
【００２７】
妨害器は読み取り装置のある型（式）にのみ選択的に応答するので、受信される高周波信号を分析するための分析手段１５は、走査信号ＳＳから、走査信号を送信する読み取り装置の型を検出すると共に、検出される読み取り装置の型がプリセット（予め設定された）型であるときにのみ、妨害信号発生手段１８に制御信号ＣＳを送信するように構成される。読み取り装置の型を検出する最も簡単な方法は、どの周波数で走査信号は送出されているかを立証することにある。このため分析手段１５に、例えばコンパレータ（比較器（comparator））によって後続される一つ又はそれより多くのバンドパス（帯域通過）フィルタ（band-pass filter）が装備されてもよい。
【００２８】
受信される高周波信号を分析するための分析手段１５の、より費用はかかるが、より正確な実施例において、前記手段は、走査信号で符号化されるデータキャリア２に対する命令を検出する。制御信号ＣＳはそれから送出され、それ故に、命令が検出されるときはいつでも、又はデータキャリア２は自身のデータを読み出すように要求されるある命令が検出されるときのみの何れかに、妨害信号は発生させられると共に送出される。
【００２９】
妨害器２０のユーザも、妨害器が読み取り装置によって走査処理を検出していると共に妨害していることを知らさせるので、妨害信号発生手段１８は更に、ユーザ警告信号（user warning signal）ＥＳを送出するようにも構成される。ユーザ警告信号ＥＳは例えば小型大音響スピーカ（mini-loudspeaker）１９を介して送出される音響（アコースティック）信号（acoustic signal）になってもよい。
【００３０】
基本的に、本発明による妨害器が具現化されてもよい態様であまり細かい限定がもたらされることはない。例えば衣服において警告されるてもよく、又はキーフォッブ（key-fob）の形態であってもよい。しかしながら、本発明の好ましい実施例において、妨害器は、物理的コンタクトなしで読み出され得るデータキャリアを備える商品を収容（保持）するための容器に組み込まれる。図２は、財布又は札入れ２１の形態をとるこの種の容器の実施例を示す図である。固有の識別番号を有するデータキャリア２が組み込まれる少なくとも一つの銀行券２２は財布２１に位置される。財布２１は本発明による妨害器２０を有する。妨害器２０は、読み取り装置に識別番号の文字の送信を確実に妨害するのに十分にデータキャリア２に近付いていることがこのように保証される。
【００３１】
本発明によるデータキャリア２’のブロック回路図が図３に示されている。図１に示されているデータキャリア２と同様に、当該データキャリア２’は高周波信号を受信／送信するためのコイルの形態で結合素子１０を有している。受信される走査信号ＳＳに含まれる情報を復調すると共に送信されるべき情報を変調するエアインタフェース部１１に結合素子１０が接続される。更にエアインタフェース部１１は、データキャリア２’の電気コンポーネントに電圧を供給するための電圧供給回路１３に受信される走査信号ＳＳから電気エネルギも引き出す。エアインタフェース部１１は、ステートマシン又はマイクロプロセッサの形態で実現されてもよい論理回路１２’にも接続される。論理回路１２’は、識別番号ＩＤを含む不揮発性メモリ１４に接続される。論理回路１２’が動作の通常モードにあるとき、当該論理回路１２’が、エアインタフェース部１１によって復調される走査信号の間で、識別番号ＩＤを読み出すために読み取り装置から要求を検出するたびに、当該論理回路１２’は識別番号ＩＤをエアインタフェース部ＩＤに送信する（後者（エアインタフェース部１１）は、高周波識別信号ＩＳとして変調された形態で当該データを読み取り装置に送信する）。
【００３２】
データキャリア２’は、チップカードのような広く様々な異なる形態で存在してもよいが、衣服の商品又は銀行券のような非常に小さな形態で組み込まれてもよい。
【００３３】
しかしながら、データキャリア２’に記憶されている識別番号ＩＤの不正な読み出しを防止するため、データキャリア２’は、妨害信号ＤＳを発生させるための妨害信号発生手段１８を有している。当該妨害信号発生手段は、上記の妨害器２０の妨害信号発生手段と同じ態様で構成されていてもよい。論理回路１２’は、受信される前記電磁信号の間で当該論理回路が読み取り装置１から走査信号ＳＳを識別する（図１参照）と共に、走査信号が検出されるとき、妨害信号発生手段１８に活性化信号ＡＳを送信する動作の妨害モードを更に有し、前記妨害信号発生手段は、妨害信号ＤＳを発生させると共に、活性化信号ＡＳの受信時に、エアインタフェース部１１を介して当該妨害信号を送出するように構成される。妨害信号ＤＳは好ましくは、高度に変調された信号又は電磁パルスになる。本発明によるデータキャリア２’の論理回路１２’はそれ故に、図１を参照することによって上述されている妨害器の受信される電磁信号を分析するための分析手段１５によって実行される機能を有する。
【００３４】
論理回路１２’の例示的な実施例において、走査信号から、走査信号を送出している読み取り装置の型を検出し、検出される読み取り装置の型がプリセット（preset）型である場合、又は許可された（正規の）型（authorized type）でない場合のみ、活性化信号ＡＳを送出する。このように、このことが所望されないとき、例えばデータキャリア２’が百貨店における防犯モニタリングシステムの動作のゾーン内にあるとき、妨害信号ＤＳが送出されることを防止することは可能である。
【００３５】
本発明によるデータキャリア２’の他の実施例において、論理回路１２’は、走査信号ＳＳから読み取り装置によって送出される命令（コマンド）を抽出し、妨害モードは活性化されるための命令が検出されるときに妨害モードになり、妨害モードは不活性化されるための命令が検出されるときに妨害モードを終了するように構成される。このように、データキャリア２’が妨害モードに選択的にセットされること、又は前記モードが再度スイッチオフされることは可能である。少なくとも妨害モードを不活性化するための命令は、許可されていない読み取り装置がまずデータキャリアの妨害モードをスイッチオフし、それから自身の情報を読み出すことを可能にするために当該命令は誤用（濫用）されることを防止するため、秘密にされ続けられなければならないこと、又は送信されるとき暗号化によって保護されなければならないことは言うまでもないことである。
【図面の簡単な説明】
【００３６】
【図１】本発明による読み取り装置、コンタクトレスデータキャリア、及び妨害器を示すブロック回路図である。
【図２】本発明による妨害器を備える札入れ又は財布の形態の容器を示す図である。
【図３】物理的なコンタクトなしに読み出され得る本発明によるデータキャリアのブロック回路図である。
【図１】
2007512611.tif 000003
【図２】
2007512611.tif 000004
【図３】
2007512611.tif 000005
【国際調査報告】
2007512611.tif 000006
2007512611.tif 000007